(57)【要約】【課題】  セルフタイマー撮影、リモコン撮影等の機能を発揮するために自立を可能とし、自立時の底面にも部品を配置させることで小型化を達成する。【解決手段】  情報記録媒体に対して情報の記録及び／又は再生を行うとともに、被載置面に対して底面部１１ｅを対向させて自立する電子機器１０において、装置本体１１と、底面部１１ｅと略直交する背面部１１ｅに設けられる画像情報を取り込むための撮像部１３と、底面部１１ｅに設けられ、底面部１１ｅに設けられる他の部品より突出して設けられる複数の脚部３１，３２，３３とを有し、複数の脚部３１，３２，３３は、装置本体の重心が複数の脚部に囲まれる領域と対向するように、配置される。【選択図】  図４
2006164340.tif 000002
【特許請求の範囲】
【請求項１】
情報記録媒体に対して情報の記録及び／又は再生を行うとともに、被載置面に対して底面を対向させて自立する電子機器において、
装置本体と、
上記底面と略直交する面に設けられる画像情報を取り込むための撮像部と、
上記底面に設けられ、上記底面に設けられる他の部品より突出して設けられる複数の脚部とを有し、
上記複数の脚部は、上記装置本体の重心が上記複数の脚部に囲まれる領域と対向するように、配置される電子機器。
【請求項２】
上記底面と相対向する上面に、シャッターボタンが設けられることを特徴とする請求項１記載の電子機器。
【請求項３】
上記底面に設けられる、複数の突部は、３箇所以上であり、
上記複数の脚部に囲まれる領域と対向する上記上面の領域内に上記シャッターボタンの重心が配置されることを特徴とする請求項２記載の電子機器。
【発明の詳細な説明】
【技術分野】
【０００１】
本発明は、オーディオ機器等の電子機器に関する。
【背景技術】
【０００２】
記録媒体に対して音楽情報等の記録再生を行う携帯型の電子機器が広く用いられている。かかる電子機器において、記録情報量の大容量化に伴い、画像情報を取り込むための撮像部を設け、音楽情報に付随した画像情報、又は、記念写真等の画像情報を記録することが望まれる。
【０００３】
上述のような撮像部を有する電子機器は、セルフタイマー撮影、リモコン撮影等の機能があると便利であり、このような機能を有する場合には、撮像部が被写体に臨む方向に自立することが望まれる。
【０００４】
一方で、かかる電子機器は、携帯性を高めるため、一層の小型化が要求されている。そして、この電子機器は、小型化するために、様々な他の電子機器との接続部、操作ボタン、充電用コネクタ等を、外面を形成する全ての面に分散させることが必要とされる。
【０００５】
もちろん、小型化のためには、撮像部が被写体に臨む方向に向けたときの底面にも様々な部品が配置されており、自立用の三脚等が必要とされており、小型化を達成して携帯性を高めるとともに自立させることは非常に困難であった。
【発明の開示】
【発明が解決しようとする課題】
【０００６】
本発明の目的は、自立時の底面にも部品を配置させることで電子機器の小型化を達成するとともに、自立を可能とし、セルフタイマー撮影、リモコン撮影等の機能を発揮できる電子機器を提供することにある。
【課題を解決するための手段】
【０００７】
この目的を達成するため、本発明に係る電子機器は、情報記録媒体に対して情報の記録及び／又は再生を行うとともに、被載置面に対して底面を対向させて自立する電子機器において、装置本体と、底面と略直交する面に設けられる画像情報を取り込むための撮像部と、底面に設けられ、底面に設けられる他の部品より突出して設けられる複数の脚部とを有し、複数の脚部は、装置本体の重心が複数の脚部に囲まれる領域と対向するように、配置される。
【発明の効果】
【０００８】
本発明の電子機器は、撮像部と直交する底面に設けた複数の脚部をこの底面に設けられる他の部品より突出させ、装置本体の重心が複数の脚部に囲まれる領域と対向するように脚部が配置されるので、自立時の底面にも部品を配置させることで小型化を達成し携帯性を高めるとともに、撮像部が被写体に臨む方向に自立させることを可能とし、セルフタイマー撮影、リモコン撮影等の機能を発揮させることを可能とする。
【発明を実施するための最良の形態】
【０００９】
以下、本発明を適用した電子機器について図面を参照して説明する。この電子機器１０は、例えば、ディスク状記録媒体に対して記録及び／又は再生を行う携帯型の装置であり、特に、ディスク状記録媒体としてディスクカートリッジを用いる。この電子機器は、ディスクカートリッジと略同じ大きさにまで小型化されている。
【００１０】
また、この電子機器１０は、一の面に表示部２４を備え、充電スタンド４０の接地面４１に対して所定の傾斜角を有して傾斜して載置される。この充電スタンド４０は、電子機器１０を所定の傾斜角を有して傾斜して保持するとともに、電子機器１０に対して電源を供給し、電子機器１０の充電を行う。また、この充電スタンド４０は、パーソナルコンピュータ等の情報処理装置と接続するための接続部を有し、電子機器１０の充電中に、電子機器との情報の送受信を可能とすることで、パーソナルコンピュータ等の情報処理装置とこの電子機器１０とを接続することができる。
【００１１】
先ず、本発明を適用した電子機器１０の説明に先だって、この電子機器１０に用いるディスクカートリッジ１について説明する。図１に示すように、電子機器１０に用いられるディスクカートリッジ１は、一対のハーフを突き合わせ結合したカートリッジ本体３に、光磁気ディスク２を回転可能に収納している。記録媒体となる光磁気ディスク２の中心部には、電子機器１０側のディスク回転駆動機構を構成するディスクテーブルが係合するセンタ孔が設けられると共に、このセンタ孔を閉塞するようにしてディスクテーブルに内蔵されたマグネットに磁気吸引されるクランピングプレート２ａが取り付けられている。
【００１２】
この光磁気ディスク２を回転可能に収納するカートリッジ本体３には、前面側略中央の互いに対向する面に、光磁気ディスク２の信号記録領域の一部を径方向に亘って外部に臨ませる記録再生用の開口部４ａ，４ｂが形成されている。一方の開口部４ａは、光磁気ディスク２の光磁気記録層に対して磁界を印加する磁気ヘッドをカートリッジ本体３内部に進入させるためのものであり、他方の開口部４ｂは、光ピックアップを光磁気ディスク２に臨ませるためのものである。
【００１３】
カートリッジ本体３の前面３ａ側には、記録再生用の開口部４ａ，４ｂを開閉するための断面略コ字状のシャッタ部材５がスライド可能に取り付けられている。このシャッタ部材５は、電子機器１０に装填されたときに限って、記録再生用の開口部４ａ，４ｂを開放し、非使用時には開口部４ａ，４ｂを閉塞する。カートリッジ本体３の下面中央部には、光磁気ディスク２のクランピングプレート２ａを外部に臨ませる略円形のディスク駆動用の開口部６が設けられている。ディスクカートリッジ１が電子機器１０に装填されたとき、この開口部６からは、ディスクテーブルが進入し、光磁気ディスク２のセンタ孔には、ディスクテーブルが係合すると共に、クランピングプレート２ａがディスクテーブルに磁気吸引される。
【００１４】
以上のようなディスクカートリッジ１は、カートリッジ本体３の前面と直交する一側面３ｂを挿入端として、電子機器１０に装填される。すると、シャッタ部材５は、ディスクカートリッジ１の挿入方向と平行な方向に、カートリッジ本体３の前面３ａに沿ってスライドし、記録再生用の開口部４ａ，４ｂを開放し、光磁気ディスク２の記録再生の可能な状態にする。
【００１５】
なお、カートリッジ本体３内に収納する記録媒体としては、光磁気ディスク２の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００１６】
以上のようなディスクカートリッジ１を記録媒体に用いる電子機器１０について図１乃至図３を参照して説明すると、この電子機器１０は、ディスクカートリッジ１が装着される装置本体１１と、この装置本体１１に対して回動可能に取り付けられる蓋体１２とを備え、蓋体１２が開いた状態にあるとき、ディスクカートリッジ１の挿脱を行うことができるようになっている。
【００１７】
電子機器１０は、蓋体１２側に形成され、表示部２４を有する前面部１２ａと、装置本体１１に形成され、後述する充電スタンド４０の支持面４２に支持される、前面部１２ａと相対向する背面部１１ａと、充電スタンド４０の載置面４３に載置される底面部１１ｅと、底面部１１ｅと対向する上面部１１ｄと、一対の側面部１１ｂ、１１ｃとからなる。
【００１８】
装置本体１１には、その背面部１１ａに、撮像部１３が設けられている。この撮像部１３は、一方の側面部１１ｂ側に偏倚した位置に設けられており、外部に臨まされたレンズ部１３ａがカバーシャッタ１４により閉塞されている。このカバーシャッタ１４は、捻りコイルバネにより、撮像部１３を閉塞する方向と開く方向の２方向に付勢されており、使用時に限ってユーザの手により開かれるようになっている。カバーシャッタ１４は、撮像部１３の使用時以外のときには閉塞されるようにすることで、レンズ部１３ａ等に塵埃、指紋等の異物が付着しないようにしている。なお、この撮像部１３は、レンズ部１３ａの他に、ミラー部１３ｂとフラッシュ用のＬＥＤ（Light Emitting Diode）等で構成された発光部１３ｃが設けられている。
【００１９】
また、装置本体１１には、その背面部１１ａに、後述する充電スタンド４０の支持面４２に設けられたフック４６と係合する係合部２７が設けられている。係合部２７は、底面部１１ｅ側であって他方の側面部１１ｃ側に位置されており、充電スタンド４０に載置されたときには、フック４６と係合することにより、電子機器１０が底面部１１ｅと直交する方向ｘ２への移動を規制するロック機構となる。
【００２０】
また、装置本体１１には、撮像部１３が設けられた一方の側面部１１ｂと反対側の他方の側面部１１ｃ側であって、蓋体１２のヒンジが設けられた上面部１１ｄには、レンズ部に取り込まれた画像を記録するように操作するシャッタボタン１５と、電源ボタン１６とが設けられている。この装置本体１１では、シャッタボタン１５と撮像部１３のレンズ部１３ａの位置を反対側に設けるようにすることで、撮影時に、シャッタボタン１５を押す側の手がレンズ部１３ａに映り込まないようにしている。
【００２１】
また、装置本体１１の撮像部１３が設けられた側の側面部１１ｂには、上面部１１ｄ側に、イヤホン、ヘッドホン等の電気音響変換器の接続コードが接続される第１のジャック部１７が設けられている。また、この側面部１１ｂと反対側の側面部１１ｃには、操作部の一部である音響信号を聞くときの音量ボタン１８やパーソナルコンピュータ等の情報処理装置からオーディオデータ等のコンテンツデータをダウンロードする際のダウンロードボタン１９が設けられている。更に、この側面部１１ｃの底面部１１ｅ側には、電源となる二次電池等が収納されるバッテリ収納部を開閉するバッテリ蓋２０が設けられている。
【００２２】
装置本体１１の底面部１１ｅには、蓋体１２を閉塞状態に維持するためのロック機構が設けられると共に、このロック機構に連携した蓋体１２のロック解除をするための蓋体１２のロック解除スライダ２１が設けられている。また、この装置本体１１の底面部１１ｅの他方の側面部１１ｃ側には、充電スタンド４０に接続されることで電源供給が行われるとともに、パーソナルコンピュータ等からオーディオデータ等のコンテンツデータをダウンロードするための接続コードが接続される被接続部として第２のジャック部２２が設けられている。第２のジャック部２２は、充電スタンド４０の第１の接続部４４と接続された場合には、電源供給が行われると共に情報信号の送受信を行う。
【００２３】
更に、この装置本体１１の底面部１１ｅには、充電時等に装置本体１１を立てかける充電スタンド４０に載置されて装着する際に、後述する充電スタンド４０の載置面４３に設けられた突起部４５が挿入される凹部２３が略対称位置に２カ所設けられている。この凹部２３は、略矩形に形成された底面部１１ｅの長手方向ｙ１に離間して設けられている。この凹部２３は、後述する基端部４５ａ側から先端部４５ｂ側に向かって断面が徐々に小さくなる形状とされる突起部４５に対応した形状とされている。また、この凹部２３は、充電スタンド４０への装着方向ｘ１、取り外し方向ｘ２に向かって形成されている。
【００２４】
尚、この凹部２３及び後述する充電スタンド４０の突起部４５は、１カ所でも良いが、長手方向ｙ１に離間して複数（２カ所以上）設けることで、充電スタンド４０に保持した状態（スタンド時）の電子機器１０の前面部１２ａ側若しくは背面部１１ａ側への倒れを防止するための当接する部分の面積を増大させるとともに、側面部１１ｂ，１１ｃ側への倒れを防止することができる。また、凹部２３及び突起部４５は、２箇所以上設けることで、位置決めとして機能し、電子機器１０を充電スタンド４０に装着するときに、より簡単に装着動作を行うことを可能とする。
【００２５】
また、図４に示すように、装置本体１１の底面部１１ｅには、被載置面に対して底面部１１ｅを対向させて自立するための第１乃至第３の脚部３１，３２，３３が設けられる。この第１乃至第３の脚部３１，３２，３３は、上述した底面部１１ｅに設けられるロック解除スライダ２１、第２のジャック部２２等の他の部品より突出して形成される。第１乃至第３の脚部３１，３２，３３は、底面部１１ｅを被載置面に対向させた状態、すなわち、電子機器１０が自立する方向に配置された状態で、蓋体１２を装着した装置本体１１の重心Ｑ１が第１乃至第３の脚部３１，３２，３３に囲まれる領域Ｐと対向するように配置されている。換言すると、重心Ｑ１が領域Ｐと対向して領域と平行な平面内の領域の内部に位置するように第１乃至第３の脚部３１，３２，３３が配置されている。
【００２６】
電子機器１０において、撮像部１３が設けられた背面部１１ａと略直交する底面部１１ｅに設けた複数の脚部３１，３２，３３をこの底面部１１ｅに設けられる他の部品より突出させ、蓋体１２及び装置本体１１の重心Ｑ１が複数の脚部３１，３２，３３に囲まれる領域Ｐと対向するように脚部３１，３２，３３を配置したので、撮像部１３を水平方向に臨ませた状態で安定して自立することができる。
【００２７】
また、第１乃至第３の脚部３１，３２，３３は、底面部１１ｅを被載置面に対向させた状態、すなわち、電子機器１０が自立する方向に配置された状態で、この複数の脚部３１，３２，３３に囲まれる領域Ｐと対向する上面部１１ｄの領域内にシャッターボタン１５の重心Ｑ２が位置するように配置される。電子機器１０において、第１乃至第３の脚部３１，３２，３３が、この複数の脚部３１，３２，３３に囲まれる領域Ｐと対向する上面部１１ｄの領域内にシャッターボタン１５の重心Ｑ２が位置するように配置されることで、電子機器１０を自立した状態でシャッターボタン１５を押したとしても、自立状態を安定して保つことができ、例えば、このシャッターボタン１５をセルフタイマー撮影の始動ボタンとして機能させることを可能とする。
【００２８】
尚、ここでは、底面部１１ｅに設ける脚部を３箇所とし、この第１乃至第３の脚部３１，３２，３３に囲まれる領域Ｐと平行且つ対向する平面内に装置本体の重心Ｑ１及びシャッターボタン１５の重心Ｑ２が位置するように構成したが、脚部を設ける箇所数はこれに限られるものではなく、例えば細長い矩形に形成される２箇所の脚部を設け、この脚部に囲まれる領域と平行且つ対向する平面内に装置本体及びシャッターボタンの重心を位置するように構成しても良いし、３つの細長い矩形に形成された脚部をそれぞれ接続したコ字状の１箇所の脚部を設け、このコ字状の脚部に囲まれる領域と平行且つ対向する平面内に装置本体及びシャッターボタンの重心を位置するように構成しても良い。
【００２９】
以上のような装置本体１１に取り付けられる蓋体１２は、装置本体１１の上面部１１ｄにヒンジが設けられ、このヒンジを回動支点として回動操作される。この蓋体１２の主面である前面部１２ａには、撮像部１３が設けられた一方の側面部１１ｂ側に、ＬＣＤ（LiquidCrystal Display）等で構成された表示部２４と、装置本体１１を操作する操作部２５が設けられている。表示部２４には、ディスクカートリッジ１に保存されているオーディオデータの再生中にあっては、再生時間、再生中のトラックナンバ、タイトル名等の再生中のオーディオデータに関連する関連データが表示され、また、撮像部１３で被写体を撮像するときには撮像部１３が撮影している映像が表示される。この表示部２４の下側に設けられる操作部２５は、この装置の主機能を実行するためのメインとなる操作部であり、回転スイッチ２５ａの中央部に４方向に傾倒するレバースイッチ２５ｂが設けられている。この操作部２５では、例えば、ディスクカートリッジ１に保存された複数のオーディオデータや画像データの中から所望のオーディオデータや画像データを選択し、また、選択したオーディオデータの再生開始や停止、順方向又は逆方向トラックジャンプ操作等を行うことができる。
【００３０】
次に、以上のような電子機器１０を所定の傾斜角を有して傾斜して保持するとともに充電を行う充電スタンド４０について図３及び図５を参照して説明する。
【００３１】
この充電スタンド４０は、例えば机等の被接地面に接地される接地面４１と、電子機器１０の表示部２４が設けられた前面部１２ａと対向する背面部１１ａを支持し、接地面４１に対して所定の傾斜角を有する支持面４２と、支持面４２と直交して形成され、電子機器１０の底面部１１ｅを載置する載置面４３と、載置面４３に設けられ、電子機器１０に接続して少なくとも電源供給を行う第１の接続部４４と、載置面４３に設けられ、電子機器１０を保持するときに、電子機器１０の凹部２３に挿入される突起部４５とを備える。
【００３２】
また、充電スタンド４０は、支持面４２に設けられ、電子機器１０の係合部２７と係合して電子機器１０が載置面４３に直交する方向ｘ２に移動することを防止してロック状態とするフック４６と、一方の側面４０ａに設けられ、電子機器１０の係合部２７とフック４６との係合してロックされている状態を解除するためのリリースボタン４７と、載置面４３に設けられ、電子機器１０を保持した状態から開放するときに、載置面４３と直交する方向ｘ２に付勢する付勢板としてポップアップ板４８とを有する。
【００３３】
さらに、充電スタンド４０は、その背面４０ｂ側に設けられる、パーソナルコンピュータ等の情報処理装置と接続するための第２の接続部４９と、その接地面４１の背面側の凹部に設けられ、外部の電源供給部と接続するための第３の接続部５０とを有する。
【００３４】
支持面４２には、上述のフック４６と、電子機器１０の背面部１１ａに当接して支持する両端側に一対に設けられたリブ５１と、電子機器１０のカバーシャッタ１４が開けられた状態で充電スタンド４０に装着を可能とするカバー用凹部５２とが設けられる。
【００３５】
載置面４３には、上述の第１の接続部４４と、上述の突起部４５と、上述のポップアップ板４８と、第１及び第２の脚部３１，３２用の第１乃至第２の凹部５３，５４とが設けられる。また、ポップアップ板４８には、第３の脚部３３用の第３の凹部５５と、ロック解除スライダ２１用の第４の凹部５６とが設けられる。
【００３６】
第１の接続部４４は、電子機器１０の底面部１１ｅに設けられた被接続部である第２のジャック部２２に接続して、電源供給を行うとともに、電子機器１０に対して情報信号の送受信を行う。すなわち、第１の接続部４４は、電子機器１０を充電スタンド４０に保持した状態で、第２のジャック部２２と接続され、第３の接続部５０からの電源を電子機器１０に供給するとともに、パーソナルコンピュータ等の情報処理装置に接続された第２の接続部４９からの情報信号を電子機器１０側に送信することができ、また、電子機器１０側から情報信号を受信して第２の接続部４９を介して情報処理装置に送信することができる。
【００３７】
尚、ここでは、第１の接続部４４を載置面４３に設け、電子機器１０の底面部１１ｅに設けた被接続部である第２のジャック部２２に接続して、電源供給を行うように構成したが、これに限られるものではなく、たとえば、充電スタンドに設けた接続ケーブルを電子機器の底面部１１ｅ以外の場所に設けた被接続部に接続して、電源供給を行うように構成してもよい。ここでは、第１の接続部４４を載置面４３に設け、載置面４３に載置される電子機器１０の底面部１１ｅに設けた第２のジャック部２２に接続することで、構成部品を減らすことができ、小型化及び低コスト化を実現できる。
【００３８】
突起部４５は、略矩形に形成された載置面４３の長手方向ｙ２に離間して２箇所設けられており、基端部４５ａ側から凹部２３に臨む先端部４５ｂ側に向かって断面が徐々に小さくなる形状とされていて、支持面４２と平行な断面において略台形状に形成される。突起部４５が、このように先端部４５ｂ側に向かって断面が徐々に小さくなる形状とされ、上述の凹部２３がこれに対応する形状とされていることにより、電子機器１０の装着時のガイドとして機能し、装着動作を簡単且つ滑らかに行うことが可能となる。
【００３９】
フック４６は、載置される電子機器１０の背面部１１ａ側、すなわち、支持面４２に略直交する方向ｘ３に付勢されており、電子機器１０が載置された状態で、電子機器１０の係合部２７と係合することで電子機器１０が載置面４３に直交する方向ｘ２に移動することを防止するロック機構となる。
【００４０】
また、フック４６は、リリースボタン４７に連動されており、リリースボタン４７が押されると、載置される電子機器１０の背面部１１ａと反対側の方向ｘ４に、すなわち、支持面４２内部側に引き込まれる。フック４６及びリリースボタン４７は、電子機器１０を充電スタンド４０から取り外す（リリースする）際には、リリースボタン４７が押されて、フック４６が電子機器１０と反対側に引き込まれることで、係合部２７との係合状態、すなわち、ロックが解除されて、電子機器１０が載置面４３に直交する方向ｘ２に移動することが可能となる。
【００４１】
ポップアップ板４８は、図示しないバネ等の付勢手段により、載置面４３と直交する方向ｘ２に付勢されており、電子機器１０が装着されているときには、ｘ１方向に偏倚されている。この状態で、ポップアップ板４８は、電子機器１０の底面部１１ｅをｘ２方向に付勢しており、上述のフック４６及び係合部２７とともに、ロック機構を補助することができる。さらに、リリースボタン４７によりフック４６及び係合部２７の係合が解除された場合には、ポップアップ板４８は、電子機器１０の底面部１１ｅをｘ２方向に付勢することで、電子機器１０を充電スタンド４０から取り外すときの取り外し動作を滑らかにし、ユーザの使用勝手を向上させることができる。
【００４２】
以上のように構成された充電スタンド４０は、電子機器１０の表示部２４が設けられた面と対向する背面部１１ａが支持される支持面４２と、電子機器１０の底面部１１ｅを載置するための載置面４３と、この載置面４３に設けられ、電子機器１０の底面部１１ｅに設けられた凹部２３に挿入する突起部４５とを備えるので、小型化を実現し、携帯性を高めるとともに、電子機器１０をスタンドする時に表示部２４が見やすいように所定の傾斜角を有して保持することができ、また、この充電スタンドに対して電子機器が装着及び取り外されるときに電子機器１０が転倒することを防止できる。
【００４３】
次に、上述した電子機器１０を充電スタンド４０に装着して接続して、スタンド状態にするとともに、充電を行う動作について説明する。
【００４４】
図３及び図６に示すように、電子機器１０は、背面部１１ａが充電スタンド４０の支持面４２と略同一平面内に配置された状態から、底面部１１ｅが充電スタンド４０の載置面４３と近接する方向ｘ１に移動されて、ポップアップ板４８を偏倚させて載置面４３と当接する。このとき、電子機器１０の底面部１１ｅの凹部２３には、略台形状に形成された突起部４５にガイドされて挿入される。また、電子機器１０は、被接続部である第２のジャック部２２に、第１の接続部４４が接続され、係合部２７に、フック４６が係合されてロックされて、充電スタンド４０に装着されて保持（スタンド）される。電子機器１０は、係合部２７及びフック４６が係合されているので、載置面４３に直交する方向ｘ２へ移動することが規制されている。
【００４５】
尚、電子機器１０の底面部１１ｅには、第１乃至第３の脚部３１，３２，３３及びロック解除スライダ２１が設けられているが、これらの部品は、充電スタンド４０の第１乃至第４の凹部内５３，５４，５５，５６に位置することで、これらの部品が充電スタンド４０への装着の妨げとなることはない。
【００４６】
このスタンド状態において、電子機器１０は、充電スタンド４０の被接地面４１に対して所定の傾斜角を有して傾斜して載置されて保持されている。すなわち、電子機器１０の表示部２４は、所定の傾斜角を有して傾斜しており、具体的には、斜め上方に向けられた状態となっている。一方、電子機器１０は、第２のジャック部２２が充電スタンド４０の第１の接続部４４に接続されて電源が供給されて充電状態となっている。ここで、電子機器１０及び充電スタンド４０は、充電スタンド４０の第２の接続部４９をパーソナルコンピュータ等の情報処理装置と接続することで、電子機器１０をこの情報処理装置と接続して情報の送受信を行うことができる。すなわち、電子機器１０及び充電スタンド４０は、充電を行いながら表示部２４を見易い状態に姿勢保持できるので、この表示部２４を確認しながら情報処理装置を操作して情報処理装置との情報の送受信を行うことを可能とするので、使用勝手がよく、利便性を向上できる。
【００４７】
次に、スタンド状態とされた電子機器１０を充電スタンド４０から取り外される動作について説明する。
【００４８】
図３及び図６に示すように、充電スタンド４０のリリースボタン４７が押されることにより、リリースボタン４７に連動されたフック４６が支持面４２内部側の方向ｘ４に引き込まれる。フック４６が支持面４２の内部側の方向ｘ４に引き込まれることで、フック４６と係合部２７との係合状態が開放されてロック状態が解除され、電子機器１０が載置面４３に直交する方向ｘ２に移動することが可能となる。この状態で、電子機器１０は、充電スタンド４０から取り外される。
【００４９】
そして、電子機器１０及び充電スタンド４０は、電子機器１０がポップアップ板４８により載置面４３に直交する方向ｘ２に付勢されるので、取り外し時（リリース時）の動作が滑らかであり、さらに、突起部４５が電子機器の取り外し方向ｘ２に形成されているので、電子機器１０の倒れを防止して取り外し動作（リリース動作）を確実且つ滑らかに行うことを可能とする。
【００５０】
電子機器１０は、表示部２４が設けられた前面部１２ａと対向する背面部１１ａが充電スタンド４０の支持面４２に支持され、底面部１１ｅが充電スタンド４０の載置面４３に載置され、底面部１１ｅに設けられた凹部２３にこの載置面４３に設けられた突起部４５が挿入されるので、複雑な構成を備えることなく、スタンド時に表示部２４が見やすいように所定の傾斜角を有して充電スタンド４０に対して載置することを可能とするとともに、この充電スタンド４０に対して電子機器１０が装着又は取り外しが行われるときに電子機器が転倒することを防止できる。
【００５１】
また、充電スタンド４０は、電子機器１０の表示部２４が設けられた前面部１２ａと対向する背面部１１ａが支持される支持面４２と、電子機器１０の底面部１１ｅを載置するための載置面４３と、この載置面４３に設けられ、電子機器１０の底面部１１ｅに設けられた凹部２３に挿入する突起部４５とを備えるので、小型化を実現し、携帯性を高めるとともに、電子機器１０をスタンドする時に表示部２４が見やすいように所定の傾斜角を有して保持することを可能とするとともに、電子機器１０を着脱するときに電子機器１０が転倒することを防止できる。
【００５２】
次に、上述した電子機器１０を机等の被載置面に自立させるときの状態について、図７を用いて説明する。
【００５３】
図３、図４及び図７に示すように、電子機器１０は、被載置面に対して底面部１１ｅを対向させて、第１乃至第３の脚部３１，３２，３３を被載置面に当接させることで、被載置面に自立させることができる。電子機器１０は、自立する状態で、蓋体１２を含めた装置本体１１の重心Ｑ１が第１乃至第３の脚部３１，３２，３３に含まれる領域Ｐと対向するので、すなわち、装置本体の重心Ｑ１の垂線が第１乃至第３の脚部に含まれる領域Ｐ内を通過するので、この薄型の電子機器１０が倒れることを防止して安定して自立させることができる。
【００５４】
また、電子機器１０は、底面部１１ｅを被載置面に対向させることで、底面部１１ｅと略直交する背面部１１ａに設けられた撮像部１３を被載置面に平行な方向に向けて自立することができるので、始動してから所定の時間の間隔を経過してから撮像部１３（撮影機能）を作動させるセルフタイマー撮影及びリモコン装置を用いて電子機器１０から離れた位置から撮像部１３（撮影機能）を作動させるリモコン撮影等を行うことが可能となる。
【００５５】
また、自立する状態で、第１乃至第３の脚部３１，３２，３３に囲まれる領域と対向する上面部１１ｄの領域内にシャッターボタン１５の重心Ｑ２が位置するように配置されることで、このシャッターボタン１５を上述したセルフタイマー撮影における始動ボタンとして機能させ、このシャッターボタン１５を押したときも倒れることのないように安定して自立姿勢を保持することができる。
【００５６】
電子機器１０は、自立時に被載置面と対向する底面部１１ｅにも、各種ジャック、電気部品、つまみ、ボタン等を配置することができるので、これらの電気部品の配置の自由度を向上させるとともに、電子機器１０の小型化を可能となる。
【００５７】
また、電子機器１０は、上述の構成により、撮像部を有し自立可能な電子機器本体の薄型化を実現する。すなわち、一般的に、薄型化が望まれる、ディスク状記録媒体に対して情報信号の記録再生を行う電子機器に撮像部を設けるときは、挿入されるディスク状記録媒体の記録面と平行な面に設けられる。また、この電子機器に、セルフタイマー撮影等の機能を持たせる場合には、撮像部は、主に垂直面に配置されることが望まれる。しかし、ディスク状記録媒体の記録面が垂直となるようにこの電子機器を自立させることが必要となるが、薄型化された電子機器は、この記録面と直交する方向に倒れやすく、自立は困難であるとともに、自立時の底面には、部品が配置されており、困難とされていた。電子機器１０は、装着されるディスク状記録媒体の記録面と平行な背面部１１に撮像部１３を設け、この背面部１１と直交する底面部１１ｅに脚部３１，３２，３３を設けることにより、厚みを増加することなく、撮像部１３を水平面に臨ませた状態で、自立することを実現する。
【００５８】
以上のように、本発明を適用した電子機器１０は、撮像部１３が設けられた背面部１１ａと直交する底面部１１ｅに設けた複数の脚部３１，３２，３３をこの底面部１１ｅに設けられる他の部品より突出させ、装置本体の重心Ｑ１が複数の脚部３１，３２，３３に囲まれる領域Ｐと対向するので、自立時の底面部１１ｅにも部品を配置させることで小型化を達成し携帯性を高めるとともに、撮像部１３が被写体に臨む方向に自立させることを可能とし、セルフタイマー撮影、リモコン撮影等の機能を発揮させることを可能とする。
【００５９】
以上の例では、ディスクカートリッジを情報記録媒体に用いる携帯型の電子機器１０を例に取り説明したが、本発明はこれに限定されるものではなく、磁気ディスク、再生専用、追記型若しくは書換型の光ディスク又はこれらのディスクをカートリッジに収納したディスクカートリッジに対して情報の記録及び／又は再生を行う携帯型電子機器であってもよい。
【００６０】
また、以上の例では、情報記録媒体であるディスクカートリッジを着脱自在に保持する保持部としてカートリッジホルダを有するように構成したが、本発明は、これに限られるものではなく、機器内部に情報記録媒体として内蔵されるハードディスクと、これを保持する保持部とを有し、このハードディスクに対して情報の記録及び／又は再生を行う電子機器であってもよい。
【産業上の利用可能性】
【００６１】
本発明は、情報記録媒体に対して情報信号の記録及び／又は再生を行う携帯型電子機器であれば、上述したディスクフォーマット以外に対しても適用可能である。例えば、情報記録媒体は、光変調記録を用いた種々の方式の記録再生ディスク、いわゆる光磁気記録、相変化記録及び色素記録等を含む光ディスク、具体的には「ＣＤ−Ｒ／ＲＷ」、「ＤＶＤ−ＲＡＭ」、「ＤＶＤ−Ｒ／ＲＷ」、「ＤＶＤ＋ＲＷ」等、又は、各種光磁気記録媒体であってもよいし、電子機器に内蔵されるハードディスクであってもよい。
【図面の簡単な説明】
【００６２】
【図１】本発明が適用された電子機器及びこの電子機器に用いられるディスクカートリッジを示す斜視図である。
【図２】本発明が適用された電子機器の背面部に設けられたカバーシャッターが開かれ、レンズ部が外部に臨まされた状態を示す斜視図である。
【図３】本発明が適用された電子機器及びこの電子機器の充電スタンドを示す斜視図である。
【図４】本発明が適用された電子機器の底面部を示す平面図である。
【図５】本発明が適用された電子機器の充電スタンドの背面側の状態及び載置面を示す斜視図である。
【図６】本発明が適用された電子機器が充電スタンドに保持された状態を示す斜視図である。
【図７】本発明が適用された電子機器が自立した状態を示す斜視図である。
【符号の説明】
【００６３】
１  ディスクカートリッジ、  ２  光磁気ディスク、  ３  カートリッジ本体、  ４ａ，４ｂ  開口部、  ５  シャッタ部材、  １０  電子機器、  １１  装置本体、  １１ａ  背面部、  １１ｂ，１１ｃ  側面部、  １１ｄ  上面部、  １１ｅ  底面部、  １２  蓋体、  １２ａ  前面部、  １３  撮像部、  １３ａ  レンズ部、  １４  カバーシャッタ、  １５  シャッタボタン、  １７  第１のジャック部、  ２１  ロック解除スライダ、  ２２  第２のジャック部、  ２３  凹部、  ２４  表示部、  ２５  操作部、  ２７  係合部、  ３１  第１の脚部、  ３２  第２の脚部、  ３３  第３の脚部、  ４０  充電スタンド、  ４１  接地面、  ４２  支持面、  ４３  載置面、  ４４  第１の接続部、  ４５  突起部、  ４６  フック、  ４７  リリースボタン、  ４８  ポップアップ板、４９  第２の接続部、  ５１  リブ
【図１】
2006164340.tif 000003
【図２】
2006164340.tif 000004
【図３】
2006164340.tif 000005
【図４】
2006164340.tif 000006
【図５】
2006164340.tif 000007
【図６】
2006164340.tif 000008
【図７】
2006164340.tif 000009